(57)【要約】【課題】ローンカード発行の承認通知をカード発行申込端末装置へ即時にかつ効率的に伝送するシステムを提供する。【解決手段】カード発行システムにおいて、センターサーバが、発行申込データをカード発行申込端末装置から受信する手段と、発行申込データに関する個信照会要求データを個信情報サーバへ送信する手段と、照会結果データを個信情報サーバから受信する手段と、少なくとも発行申込データ及び照会結果データに基づきカード発行可否を判定する手段と、カード発行可否の判定結果が発行許可である場合に、発行承認データ及び発行命令データをカード発行申込端末装置へ送信する手段とを有する。【選択図】　図１
2004054543.tif 000002
【特許請求の範囲】
【請求項１】
顧客のローンカード発行申込に応じて該顧客の個人信用情報照会並びに該顧客に対するローンカードの発行に関する処理を実行するセンターサーバを有するカード発行システムにおいて、前記センターサーバが、
顧客の発行申込データをカード発行申込端末装置から受信する手段と、
前記発行申込データの受信に応じて該発行申込データに関する個信照会要求データを個信情報サーバへ送信する手段と、
前記個信照会要求データに基づく照会結果データを前記個信情報サーバから受信する手段と、
少なくとも前記発行申込データ及び前記照会結果データに基づきカード発行可否を判定する手段と、
前記カード発行可否の判定結果が発行許可である場合に、発行承認データ及び発行命令データを前記カード発行申込端末装置へ送信する手段とを有することを特徴とする
カード発行システム。
【請求項２】
顧客のローンカード発行申込に応じて該顧客の個人信用情報照会並びに該顧客に対するローンカードの発行に関する処理を、センターサーバにより実行するカード発行方法において、前記センターサーバが、
顧客の発行申込データをカード発行申込端末装置から受信するステップと、
前記発行申込データの受信に応じて該発行申込データに関する個信照会要求データを個信情報サーバへ送信するステップと、
前記個信照会要求データに基づく照会結果データを前記個信情報サーバから受信するステップと、
少なくとも前記発行申込データ及び前記照会結果データに基づきカード発行可否を判定するステップと、
前記カード発行可否の判定結果が発行許可である場合に、発行承認データ及び発行命令データを前記カード発行申込端末装置へ送信するステップとを有することを特徴とする
カード発行方法。
【請求項３】
顧客のローンカード発行申込に応じて該顧客の個人信用情報照会並びに該顧客に対するローンカードの発行に関する処理を実行するセンターサーバに対し、
顧客の発行申込データをカード発行申込端末装置から受信する機能と、
前記発行申込データの受信に応じて該発行申込データに関する個信照会要求データを個信情報サーバへ送信する機能と、
前記個信照会要求データに基づく照会結果データを前記個信情報サーバから受信する機能と、
少なくとも前記発行申込データ及び前記照会結果データに基づきカード発行可否を判定する機能と、
前記カード発行可否の判定結果が発行許可である場合に、発行承認データ及び発行命令データを前記カード発行申込端末装置へ送信する機能とを実現させることを特徴とする
カード発行プログラム。
【請求項４】
請求項１に記載のセンターサーバと通信ネットワークにより接続されたカード発行申込端末装置において、
顧客の発行申込データを入力させる入力手段と、
前記発行申込データを前記センターサーバへ送信する手段と、
前記センターサーバから前記発行承認データ及び前記発行命令データを受信する手段と、
前記発行命令データに基づいて予め貯蔵されたローンカードの記憶素子に書き込みしかつ該ローンカードを排出する発行手段とを有することを特徴とする
カード発行申込端末装置。
【発明の詳細な説明】
【０００１】
【発明の属する技術分野】
本発明は、個人ローンシステムに関し、特に、受付業務を取り扱うカード発行申込端末装置と共に稼働し、個信情報照会機能及びカード発行機能を具備するシステムに関する。
【０００２】
【従来の技術】
一般的に個人ローンシステムでは、資金需要者である顧客に対しローンカードを発行し、顧客がそのカードを用いてＡＴＭ（自動預け払い装置）から現金を取得するシステムが採られている。ローンカードは、顧客からの申込により発行されるが、申込及び契約業務を無人で行うための自動契約端末装置が普及している。自動契約端末装置は、カードローン会社の受付サーバと適宜の通信ネットワークで接続されており、顧客により入力された申込データを受付サーバへ送信する。受付サーバは、自動契約端末装置からの申込データを受信して、印刷又は画面表示等により一旦出力していた。ローンカードを発行するためには、この申込データに基づいて個人信用情報センターに保管されている個人信用情報データベースを参照し、顧客の個人信用情報を確認する必要がある。
【０００３】
従来は、申込サーバから出力された申込データに含まれる顧客情報を、オペレータが改めて照会サーバへマニュアルで入力し、照会サーバが個人信用情報センターへ適宜の通信ネットワークを介して送信して照会要求し、照会結果を得ていた。その後、オペレータが、この照会結果及びカードローン会社固有の審査ノウハウ（借入意思確認を含む）に基づいてローンカードの発行可否を判断する審査を行い、その審査結果を通知するデータを自動契約端末装置へ送信していた。このオペレータによる審査には、３０〜６０分を要した。この間、顧客は自動契約端末装置の前で待ち続けるか、あるいは、一旦その場を離れ後刻再び戻ってくることを余儀なくされていた。その後、自動契約端末装置が表示した審査結果を顧客が確認し、自動契約端末装置に備えられた入力装置（音声入力装置や署名読込装置等）により顧客が契約了承の意思を示すデータを入力し、自動契約端末装置がこれを申込サーバへ伝送する。この時点で、極度借入基本契約又は金消契約といったローンに関わる契約が締結されたことになる。
【０００４】
そして、申込サーバから自動契約端末装置に対してローンカード発行承認が通知されると、受付票が印刷されて排出され、同時にローンカードが発行され、顧客はこれらを受け取ることができた。尚、この時点で発行されるローンカードは、正式なカードではなく、紙等で作製された仮カードであることもあり、その場合は、後日正式なカードとの交換、差替が必要となる。
【０００５】
【発明が解決しようとする課題】
上記の通り、自動契約端末装置へ接続された申込サーバから、個人信用情報センター（そのサーバ）へ接続された照会サーバへのデータの移動及び照会要求データの送信をオペレータ入力により行っていた。そのため、入力誤りの危惧があると同時にデータ入力にも時間を要することから、照会結果等に基づいたローンカード発行承認通知を自動契約端末装置へ伝達することにおいて即時性を得ることができなかった。また、照会操作が、回線混雑、機器不調で失敗した場合は、人手により再試行する必要があり、業務効率を阻害していた。
【０００６】
また、オペレータが、個人信用情報センターへの照会結果及びカードローン会社固有の審査ノウハウに基づいてローンカードの発行可否を判断する審査を行うのに３０〜６０分を要し、審査の後、ローンに関わる契約が成立した後にローンカードが発行されるので、これによっても即時性を得ることができなかった。
さらに、ローンに関わる契約成立時点で、仮カードを発行し、後日正式カードと交換する場合には、仮カードの作製や正式カードの郵送等にかかるコストが大きかった。
【０００７】
以上の現状に鑑み、本発明は、カード発行申込端末装置におけるローンカード申込手続きに対して、その承認通知をカード発行申込端末装置へ伝達することにおいて即時性及び業務効率向上を図れるシステム、方法及びプログラムを提供することを目的とする。
【０００８】
さらに、本発明は、カード発行申込端末装置におけるローンカード申込手続きに対して、顧客に正式なローンカードをその場で発行するシステム、方法及びプログラムを提供することを目的とする。
【０００９】
【課題を解決するための手段】
上記の目的を達成するべく本発明は、以下の構成を提供する。
請求項１に係るカード発行システムは、顧客のローンカード発行申込に応じて該顧客の個人信用情報照会並びに該顧客に対するローンカードの発行に関する処理を実行するセンターサーバを有するカード発行システムにおいて、前記センターサーバが、
顧客の発行申込データをカード発行申込端末装置から受信する手段と、
前記発行申込データの受信に応じて該発行申込データに関する個信照会要求データを個信情報サーバへ送信する手段と、
前記個信照会要求データに基づく照会結果データを前記個信情報サーバから受信する手段と、
少なくとも前記発行申込データ及び前記照会結果データに基づきカード発行可否を判定する手段と、
前記カード発行可否の判定結果が発行許可である場合に、発行承認データ及び発行命令データを前記カード発行申込端末装置へ送信する手段とを有するものである。
【００１０】
請求項２に係るカード発行方法は、顧客のローンカード発行申込に応じて該顧客の個人信用情報照会並びに該顧客に対するローンカードの発行に関する処理を、センターサーバにより実行するカード発行方法において、前記センターサーバが、
顧客の発行申込データをカード発行申込端末装置から受信するステップと、
前記発行申込データの受信に応じて該発行申込データに関する個信照会要求データを個信情報サーバへ送信するステップと、
前記個信照会要求データに基づく照会結果データを前記個信情報サーバから受信するステップと、
少なくとも前記発行申込データ及び前記照会結果データに基づきカード発行可否を判定するステップと、
前記カード発行可否の判定結果が発行許可である場合に、発行承認データ及び発行命令データを前記カード発行申込端末装置へ送信するステップとを有するものである。
【００１１】
請求項３に係るカード発行プログラムは、顧客のローンカード発行申込に応じて該顧客の個人信用情報照会並びに該顧客に対するローンカードの発行に関する処理を実行するセンターサーバに対し、
顧客の発行申込データをカード発行申込端末装置から受信する機能と、
前記発行申込データの受信に応じて該発行申込データに関する個信照会要求データを個信情報サーバへ送信する機能と、
前記個信照会要求データに基づく照会結果データを前記個信情報サーバから受信する機能と、
少なくとも前記発行申込データ及び前記照会結果データに基づきカード発行可否を判定する機能と、
前記カード発行可否の判定結果が発行許可である場合に、発行承認データ及び発行命令データを前記カード発行申込端末装置へ送信する機能とを実現させるものである。
【００１２】
請求項４に係るカード発行申込端末装置は、請求項１に記載のセンターサーバと通信ネットワークにより接続されたカード発行申込端末装置において、
顧客の発行申込データを入力させる入力手段と、
前記発行申込データを前記センターサーバへ送信する手段と、
前記センターサーバから前記発行承認データ及び前記発行命令データを受信する手段と、
前記発行命令データに基づいて予め貯蔵されたローンカードの記憶素子に書き込みしかつ該ローンカードを排出する発行手段とを有するものである。
【００１３】
【発明の実施の形態】
以下、図面を参照しつつ本発明の実施の形態を説明する。図１は、本発明により構築されたカード発行システムの概略的かつ模式的な構成図である。
【００１４】
センターサーバ１０は、例えば、カードローン会社の受付センター等に設置されるコンピュータ上で稼働し、本発明のシステムの機能を担う中核となる。実施に当たっては、以下の機能を協働的に実行する１又は複数のサーバから構成してもよい。例えば、データベースを管理するデータベースサーバ、トランザクション管理を行うトランザクションサーバ等がある。ＣＰＵを主体とする制御部１１が、メモリ等の主記憶装置からなる記憶部１２に記憶されたプログラムを実行する。制御部１１が実行するプログラムは、本発明のシステムのもつ複数の機能１１ａ〜１１ｅ等を実現するためのプログラムである。
データベース１４は、ハードディスク等の補助記憶装置からなり、本システムの処理により発生する新規顧客情報を格納する顧客情報データベース１４ａと、過去のカードローンの申込及び利用に関する顧客情報を格納する履歴情報データベース１４ｂとを含む。これらのデータベースに格納された情報データは、必要に応じて検索、取り出しが可能である。通信部１３は、制御部１１の制御の下に、ＩＳＤＮ網若しくはＩＰ−ＶＡＮ網等の適宜の通信ネットワーク４０、５０を介して他のコンピュータと情報データを送受信する通信機能を具備する。
【００１５】
カード発行申込端末装置２０は、通信ネットワーク４０を介してセンターサーバ１０と情報データを送受信するコンピュータである。実施に当たっては、例えば、顧客がローンカードを用いて現金を取得するＡＴＭの設置場所に隣接して設置される。
【００１６】
カード発行申込端末装置２０のＣＰＵを主体とする制御部２１は、メモリ等の主記憶装置からなる記憶部２２に記憶されたプログラムを実行する。制御部２１が実行するプログラムは、複数の機能２１ａ〜２１ｄ等を実現するためのプログラムである。図示しないが、必要なデータを格納するため補助記憶装置も有する。通信部２３は、制御部２１の制御の下に、通信ネットワーク４０を介してセンターサーバ１０と情報データを送受信する通信機能を具備する。
【００１７】
カード発行申込端末装置２０のカード発行部２４は、複数の発行前のローンカードを予め貯蔵しており、制御部２１の制御の下に、１枚のローンカードを貯蔵部から取り出し、カード面上に氏名、カード番号及び／又は会員番号等をエンボス加工により刻印し、その具備する記憶素子に適宜のデータを書き込んだ上で、申込端末２０から排出する。ローンカードは、例えばプラスチック製で、例えば磁気記憶媒体やＩＣチップ等の記憶素子を具備する。印刷部２５は、従来技術の自動契約端末装置と同様であり、空欄の申込受付票フォーム若しくは白紙を貯蔵しており、制御部２１の制御の下に、申込受付票フォーム若しくは白紙に印刷を行い、申込端末２０から排出する。
【００１８】
カード発行申込端末装置２０の入力部２６は、顧客が申込手続きのための個人情報を入力するための入力装置を具備し、例えばキーボードやタッチスクリーンである。表示部２７は、顧客に対して操作方法、処理の進行状況、処理結果等を表示するための出力装置を具備し、例えば、液晶表示画面やＣＲＴ画面である。カメラ２８は、顧客の画像を撮影するために設けられ、セキュリティのために利用される。
【００１９】
個人信用情報センターサーバ（以下、「個信情報サーバ」と称する）３０は、個人信用情報センターに設けられたその業務処理用のコンピュータ上で稼働する。ＣＰＵを主体とする制御部３１が、メモリ等の主記憶装置からなる記憶部３２に記憶されたプログラムを実行する。制御部３１が実行するプログラムは、個人情報照会要求データを受信して、個人信用情報データベース３４を照会し、照会結果データを送信する機能を実現する。個人信用情報データベース３４は、カードローンに関しては、氏名、住所等、既存の借入額、返済状況等の個人データを保管しており、個人信用情報センターはこれらの情報をカードローン会社の与信のために提供する。通信部３３は、制御部３１の制御の下に、通信ネットワーク５０を介してセンターサーバ１０等の他のコンピュータと情報データを送受信する通信機能を具備する。
【００２０】
図２は、図１の構成による本発明のカード発行システムにおけるセンターサーバ１０の処理フローの一例を概略的に示した流れ図である。以下、図１の符号を参照しつつ説明する。
【００２１】
・ステップＳ１０１：発行申込データは、顧客がカード発行申込端末装置２０の入力部２６から入力したデータに基づいて作成され、顧客の氏名、住所、生年月日、健康保険証種別、勤務先電話番号、他社のローン借入状況、及び、個人信用情報センターの利用同意等のデータを含む（図１の申込機能２１ａ）。センターサーバ１０は、カード発行申込端末装置２０から新規の発行申込データを受信する。
【００２２】
・ステップＳ１０２：センターサーバ１０は、顧客情報データベース１４ａに対し、新規顧客の発行申込データの内容を予約登録する（図１の受付機能１１ａ）。予約登録は、新規処理の開始時に行う登録であり、処理終了時に全てのデータが確定された段階で本登録を行う。
【００２３】
・ステップＳ１０３：センターサーバ１０はさらに、受信した発行申込データに基づいて個信照会要求データを作成し、個信情報サーバ３０へ送信する（図１の個信情報照会機能１１ｂ）。ローンカード発行の可否判定のために個人信用情報を照会するためである。
【００２４】
・ステップＳ１０４：個信情報サーバ３０は、個信照会要求データを受信するとそれに基づいて個人信用情報データベース３４を参照し、その結果データをセンターサーバ１０へ返送する。センターサーバ１０は、個信照会結果データを受信する。
【００２５】
・ステップＳ１０５：センターサーバ１０は、個信照会結果データと、顧客情報データベース１４ａに予約登録された発行申込データと、過去におけるローンカード発行申込及び／又はカードローン利用の履歴を記録した履歴情報データベース１４ｂとに基づいてローンカードの発行の可否を判定する。全く新規の顧客の場合は、履歴情報データベース１４ｂに記録がないが、過去に申込を行ったが承認されなかった顧客や承認はされたが利用において不都合があった顧客については、履歴情報データベース１４ｂに記憶されており、その情報が参照される。可否判定のための仮与信算出基準等は、予め規定され記憶部１２若しくは図示しない補助記憶装置に記憶されており、これらの基準値と比較することによりセンターサーバ１０が可否判定を行う（図１の仮与信算出及びカード発行判定機能１１ｃ）。実際にこの可否判定の信頼性は高く、後述する本審査の結果と大差ないことが確認されている。
【００２６】
・ステップＳ１０６：ステップＳ１０５において、発行許可と判定された場合、発行承認データをカード発行申込端末装置２０へ送信する。
【００２７】
・ステップＳ１０７：発行承認データを受信したカード発行申込端末装置２０は、発行が承認されたことを表示部２７に表示し、顧客に確認の入力を求める表示も行う（図１の結果処理機能２１ｂ）。顧客が入力部２６から確認済データを入力したならば、カード発行申込端末装置２０は、確認済データをセンターサーバ１０へ送信する。センターサーバ１０は、カード発行申込端末装置２０から確認済データを受信する。
【００２８】
・ステップＳ１０８：センターサーバ１０は、カード発行申込端末装置２０からの確認済データを受信したならば、カード発行申込端末装置２０に対し受付票印刷命令データを送信する（図１の受付票印刷命令機能１１ｄ）。
【００２９】
・ステップＳ１０９：カード発行申込端末装置２０は、受付票印刷命令データを受信したならば、その印刷部２５に受付票を印刷させ、排出させる（図１の受付票印刷機能２１ｃ）。顧客はこれを受け取る。その後、カード発行申込端末装置２０は、センターサーバ１０に対し、ローンカードの発行を要求する発行要求データを送信する。センターサーバ１０は、発行要求データを受信する。
【００３０】
・ステップＳ１１０：センターサーバ１０は、カード発行申込端末装置２０に発行命令データを送信するにあたり、ステップＳ１０２で顧客情報データベース１４ａに予約登録されたデータを本登録する。本登録の際には、個信照会結果データ及び発行承認データを追加する。このステップＳ１１０は、次ステップＳ１１１の後でもよい。
【００３１】
・ステップＳ１１１：センターサーバ１０は、カード発行申込端末装置２０に発行命令データを送信する（図１の発行命令機能１１ｅ）。カード発行申込端末装置２０は、発行命令データを受信すると、そのカード発行部２４にカードを発行させ、排出させる（図１のカード発行機能２１ｄ）。カード発行部２４は、空カードの記憶素子に必要な情報データを書き込んだ後に、そのカードを排出する。顧客は、排出されたカードを受け取る。ステップＳ１０１における発行申込データの入力からカード受取までに要する時間は、５分程度である。本システムでは、オペレータによる入力操作及び本審査がなく、センターサーバ１０の機能のみで上記の処理が実行されるためである。
【００３２】
・ステップＳ１１２：上記ステップＳ１０５で、カード発行に対する拒否判定が出た場合、センターサーバ１０は、発行拒否データをカード発行申込端末装置２０へ送信する。カード発行申込端末装置２０は、発行拒否データを受信したならば、表示部２７にその旨を表示し、処理を終了する。
【００３３】
以上で、本発明によるカード発行システムを終了する。尚、カード発行申込端末装置２０から排出されるローンカードは、正式なカードであるがこれを用いてすぐにＡＴＭから現金を取得することはできない。本システムでは、顧客がローンカードを取得した時点では、契約は未締結である。上記処理の終了後、カードローン会社では、照会結果データと、顧客情報データベース１４ａ及び履歴情報データベース１４ｂに登録された情報と、カードローン会社固有のノウハウとに基づき、人手による本審査を行い、審査結果及びローンに関する契約可否を顧客へ通知する。例えば、顧客がローンカードを発行されてからほどなく顧客の電話や携帯電話に通知する。この通知を顧客が確認し、極度借入基本契約又は金消契約といったローンに関わる契約を締結（口頭での了承の意思の伝達等）する。この時点で、契約が締結されたことになる。追って、顧客が契約成立の証としての書面を後刻若しくは後日差し入れる。この後、顧客は、ローンカードをＡＴＭで利用できるようになる。尚、上記の自動処理による可否判定の信頼性は高く、自動処理による可否判定で承認される件の大半は本審査も通過することが確認されており、本システムは実効性を有している。
【００３４】
【発明の効果】
本発明のシステムでは、カード発行申込端末装置から送信された発行申込データを受信したセンターサーバが、この発行申込データに基づいて、直ちに個信情報サーバへ個信照会要求データを送信し、そして個信照会結果データを受信したならば、それに基づいてカード発行可否判定を行い、発行承認データ若しくは発行拒否データをカード発行申込端末装置へ送信する。
【００３５】
本システムでは、カード発行申込端末装置での発行申込データの入力からカード受取までに要する時間は、５分程度である。これは、センターサーバ１０が、発行申込データを受信した後、直ちに個信照会要求データを個信情報サーバ３０へ送信し、その照会結果データを取得し、さらに、人手による本審査を行わず照会結果データ、発行申込データ及び／又は履歴情報データに基づいてカード発行可否判定をし、その結果を自動申込端末機へ返すことにより実現されたことである。
【００３６】
従来では、人手による本審査の後に自動契約端末装置からローンカードが発行されていたのに対し、本システムでは、人手による本審査の前にカード発行申込端末装置からローンカードが発行される。従って、本システムでは、人手による本審査が終わるまで顧客を端末装置の前で数十分も待たせておく必要がなく、また、申込時とカード発行時の２度にわたって端末装置の設置場所へ赴く必要もなく、顧客の負担は軽減される。同時に、カードローン会社にとっても、オペレータを常時配置させておく必要がなく、人的コストを大幅に低減することができる。
【図面の簡単な説明】
【図１】本発明により構築されたカード発行システムの概略的かつ模式的な構成図である。
【図２】図１の構成による本発明のカード発行システムにおけるセンターサーバ１０の処理フローの一例を示した流れ図である。
【符号の説明】
１０　センターサーバ
１１　センターサーバ制御部
１２　センターサーバ記憶部
１３　センターサーバ通信部
１４　データベース
１４ａ　顧客情報データベース
１４ｂ　履歴情報データベース
２０　カード発行申込端末装置
２１　カード発行申込端末装置制御部
２２　カード発行申込端末装置記憶部
２３　カード発行申込端末装置通信部
２４　カード発行申込端末装置カード発行部
２５　カード発行申込端末装置印刷部
２６　カード発行申込端末装置入力部
２７　カード発行申込端末装置表示部
２８　カード発行申込端末装置カメラ
３０　個人信用情報センターサーバ
３１　個人信用情報センターサーバ制御部
３２　個人信用情報センターサーバ記憶部
３３　個人信用情報センターサーバ通信部
３４　個人信用情報データベース
４０、５０　通信ネットワーク
【図１】
2004054543.tif 000003
【図２】
2004054543.tif 000004
【手続補正書】
【提出日】平成15年2月10日(2003.2.10)
【手続補正１】
【補正対象書類名】明細書
【補正対象項目名】特許請求の範囲
【補正方法】変更
【補正の内容】
【特許請求の範囲】
【請求項１】
顧客がローンカード発行申込を行うためのカード発行申込端末装置と、通信ネットワークを介して該カード発行申込端末装置と接続されかつ顧客の個人信用情報照会並びに該顧客に対するローンカードの発行に関する処理を実行するセンターサーバとを有するカード発行システムにおいて、
前記センターサーバが、
発行申込データをカード発行申込端末装置から受信する手段と、
前記発行申込データの受信に応じて該発行申込データに関する個信照会要求データを個信情報サーバへ送信する手段と、
前記個信照会要求データに基づく照会結果データを前記個信情報サーバから受信する手段と、
少なくとも前記発行申込データ及び前記照会結果データに基づきカード発行可否を判定する手段と、
前記カード発行可否の判定結果が発行許可である場合に、発行承認データ及び発行命令データを前記カード発行申込端末装置へ送信する手段とを具備し、
前記カード発行申込端末装置が、
発行前のローンカードを予め貯蔵する手段と、
顧客により入力された入力データに基づいて作成した発行申込データを前記センターサーバへ送信する手段と、
前記センターサーバから前記発行承認データ及び前記発行命令データを受信する手段と、
前記発行命令データに基づいて前記予め貯蔵された発行前のローンカードの記憶素子に情報データを書き込みしかつ該ローンカードを排出する発行手段とを具備することを特徴とする
カード発行システム。
【請求項２】
顧客がローンカード発行申込を行うためのカード発行申込端末装置と、通信ネットワークを介して該カード発行申込端末装置と接続されかつ顧客の個人信用情報照会並びに該顧客に対するローンカードの発行に関する処理を実行するセンターサーバとを設けるステップと、
　前記カード発行申込端末装置にて発行前のローンカードを予め貯蔵するステップと、
前記カード発行申込端末装置にて顧客により入力された入力データに基づいて作成した発行申込データを前記センターサーバへ送信するステップと、
前記センターサーバにて顧客の発行申込データをカード発行申込端末装置から受信するステップと、
前記センターサーバにて前記発行申込データの受信に応じて該発行申込データに関する個信照会要求データを個信情報サーバへ送信するステップと、
前記センターサーバにて前記個信照会要求データに基づく照会結果データを前記個信情報サーバから受信するステップと、
前記センターサーバにて少なくとも前記発行申込データ及び前記照会結果データに基づきカード発行可否を判定するステップと、
前記カード発行可否の判定結果が発行許可である場合に、前記センターサーバにて発行承認データ及び発行命令データを前記カード発行申込端末装置へ送信するステップと、
前記カード発行申込端末装置にて前記センターサーバから前記発行承認データ及び前記発行命令データを受信する手段と、
前記カード発行申込端末装置にて前記発行命令データに基づいて前記予め貯蔵された発行前のローンカードの記憶素子に情報データを書き込みしかつ該ローンカードを排出するステップとを含むことを特徴とする
カード発行方法。
【請求項３】
顧客の個人信用情報照会並びに該顧客に対するローンカードの発行に関する処理を実行するセンターサーバと通信ネットワークを介して接続されたカード発行申込端末装置において、
発行前のローンカードを予め貯蔵する手段と、
顧客により入力された入力データに基づいて作成した発行申込データを前記センターサーバへ送信する手段と、
前記センターサーバが前記発行申込データの受信に応じて該発行申込データに関する個信照会要求データを個信情報サーバへ送信し、該個信照会要求データに基づく照会結果データを該個信情報サーバから受信し、少なくとも該発行申込データ及び該照会結果データに基づきカード発行可否を判定した結果が発行許可である場合に該センターサーバの送信する発行承認データ及び発行命令データを受信する手段と、
前記発行命令データに基づいて前記予め貯蔵された発行前のローンカードの記憶素子に情報データを書き込みしかつ該ローンカードを排出する発行手段とを具備することを特徴とする
カード発行申込端末装置。
【請求項４】
前記発行手段がさらに、前記発行前のローンカードに対しエンボス加工により刻印する手段を具備することを特徴とする請求項３に記載のカード発行申込端末装置。
【請求項５】
顧客の個人信用情報照会並びに該顧客に対するローンカードの発行に関する処理を実行するセンターサーバと通信ネットワークを介して接続されかつ発行前のローンカードを予め貯蔵したカード発行申込端末装置に対し、
顧客により入力された入力データに基づいて作成した発行申込データを前記センターサーバへ送信する機能と、
前記センターサーバが前記発行申込データの受信に応じて該発行申込データに関する個信照会要求データを個信情報サーバへ送信し、該個信照会要求データに基づく照会結果データを該個信情報サーバから受信し、少なくとも該発行申込データ及び該照会結果データに基づきカード発行可否を判定した結果が発行許可である場合に該センターサーバの送信する発行承認データ及び発行命令データを受信する機能と、
前記発行命令データに基づいて前記予め貯蔵された発行前のローンカードの記憶素子に情報データを書き込みしかつ該ローンカードを排出する発行機能とを実現させることを特徴とする
カード発行プログラム。
【請求項６】
カード発行申込端末装置において、
記憶素子を具備する発行前のローンカードを予め貯蔵する手段と、
予め貯蔵された前記発行前のローンカードの前記記憶素子に情報データを書き込みしかつ該ローンカードを排出する発行手段とを具備することを特徴とする
カード発行申込端末装置。
【請求項７】
前記発行手段がさらに、前記発行前のローンカードに対しエンボス加工により刻印する手段を具備することを特徴とする請求項６に記載のカード発行申込端末装置。
【手続補正２】
【補正対象書類名】明細書
【補正対象項目名】０００９
【補正方法】変更
【補正の内容】
【０００９】
【課題を解決するための手段】
上記の目的を達成するべく本発明は、以下の構成を提供する。
請求項１に係るカード発行システムは、顧客がローンカード発行申込を行うためのカード発行申込端末装置と、通信ネットワークを介して該カード発行申込端末装置と接続されかつ顧客の個人信用情報照会並びに該顧客に対するローンカードの発行に関する処理を実行するセンターサーバとを有するカード発行システムにおいて、
前記センターサーバが、
発行申込データをカード発行申込端末装置から受信する手段と、
前記発行申込データの受信に応じて該発行申込データに関する個信照会要求データを個信情報サーバへ送信する手段と、
前記個信照会要求データに基づく照会結果データを前記個信情報サーバから受信する手段と、
少なくとも前記発行申込データ及び前記照会結果データに基づきカード発行可否を判定する手段と、
前記カード発行可否の判定結果が発行許可である場合に、発行承認データ及び発行命令データを前記カード発行申込端末装置へ送信する手段とを具備し、
前記カード発行申込端末装置が、
発行前のローンカードを予め貯蔵する手段と、
顧客により入力された入力データに基づいて作成した発行申込データを前記センターサーバへ送信する手段と、
前記センターサーバから前記発行承認データ及び前記発行命令データを受信する手段と、
前記発行命令データに基づいて前記予め貯蔵された発行前のローンカードの記憶素子に情報データを書き込みしかつ該ローンカードを排出する発行手段とを具備するものである。
【手続補正３】
【補正対象書類名】明細書
【補正対象項目名】００１０
【補正方法】変更
【補正の内容】
【００１０】
請求項２に係るカード発行方法は、顧客がローンカード発行申込を行うためのカード発行申込端末装置と、通信ネットワークを介して該カード発行申込端末装置と接続されかつ顧客の個人信用情報照会並びに該顧客に対するローンカードの発行に関する処理を実行するセンターサーバとを設けるステップと、
前記カード発行申込端末装置にて発行前のローンカードを予め貯蔵するステップと、
前記カード発行申込端末装置にて顧客により入力された入力データに基づいて作成した発行申込データを前記センターサーバへ送信するステップと、
前記センターサーバにて顧客の発行申込データをカード発行申込端末装置から受信するステップと、
前記センターサーバにて前記発行申込データの受信に応じて該発行申込データに関する個信照会要求データを個信情報サーバへ送信するステップと、
前記センターサーバにて前記個信照会要求データに基づく照会結果データを前記個信情報サーバから受信するステップと、
前記センターサーバにて少なくとも前記発行申込データ及び前記照会結果データに基づきカード発行可否を判定するステップと、
前記カード発行可否の判定結果が発行許可である場合に、前記センターサーバにて発行承認データ及び発行命令データを前記カード発行申込端末装置へ送信するステップと、
前記カード発行申込端末装置にて前記センターサーバから前記発行承認データ及び前記発行命令データを受信する手段と、
前記カード発行申込端末装置にて前記発行命令データに基づいて前記予め貯蔵された発行前のローンカードの記憶素子に情報データを書き込みしかつ該ローンカードを排出するステップとを含むものである。
【手続補正４】
【補正対象書類名】明細書
【補正対象項目名】００１１
【補正方法】変更
【補正の内容】
【００１１】
請求項３に係るカード発行申込端末装置は、顧客の個人信用情報照会並びに該顧客に対するローンカードの発行に関する処理を実行するセンターサーバと通信ネットワークを介して接続されたカード発行申込端末装置において、
発行前のローンカードを予め貯蔵する手段と、
顧客により入力された入力データに基づいて作成した発行申込データを前記センターサーバへ送信する手段と、
前記センターサーバが前記発行申込データの受信に応じて該発行申込データに関する個信照会要求データを個信情報サーバへ送信し、該個信照会要求データに基づく照会結果データを該個信情報サーバから受信し、少なくとも該発行申込データ及び該照会結果データに基づきカード発行可否を判定した結果が発行許可である場合に該センターサーバの送信する発行承認データ及び発行命令データを受信する手段と、
前記発行命令データに基づいて前記予め貯蔵された発行前のローンカードの記憶素子に情報データを書き込みしかつ該ローンカードを排出する発行手段とを具備するものである。
請求項４に係るカード発行申込端末装置は、請求項３において前記発行手段がさらに、前記発行前のローンカードに対しエンボス加工により刻印する手段を具備することを特徴とする。
【手続補正５】
【補正対象書類名】明細書
【補正対象項目名】００１２
【補正方法】変更
【補正の内容】
【００１２】
請求項５に係るカード発行プログラムは、顧客の個人信用情報照会並びに該顧客に対するローンカードの発行に関する処理を実行するセンターサーバと通信ネットワークを介して接続されかつ発行前のローンカードを予め貯蔵したカード発行申込端末装置に対し、
顧客により入力された入力データに基づいて作成した発行申込データを前記センターサーバへ送信する機能と、
前記センターサーバが前記発行申込データの受信に応じて該発行申込データに関する個信照会要求データを個信情報サーバへ送信し、該個信照会要求データに基づく照会結果データを該個信情報サーバから受信し、少なくとも該発行申込データ及び該照会結果データに基づきカード発行可否を判定した結果が発行許可である場合に該センターサーバの送信する発行承認データ及び発行命令データを受信する機能と、
前記発行命令データに基づいて前記予め貯蔵された発行前のローンカードの記憶素子に情報データを書き込みしかつ該ローンカードを排出する発行機能とを実現させるものである。
請求項６に係るカード発行申込端末装置は、記憶素子を具備する発行前のローンカードを予め貯蔵する手段と、予め貯蔵された前記発行前のローンカードの前記記憶素子に情報データを書き込みしかつ該ローンカードを排出する発行手段とを具備するものである。
請求項７に係るカード発行申込端末装置は、請求項６において前記発行手段がさらに、前記発行前のローンカードに対しエンボス加工により刻印する手段を具備するものである。